(57)【特許請求の範囲】
【請求項１】
１または複数のカメラ付きドアホン子器を、２線式信号線を介してモニタテレビ付きインターホン親機に接続し、更に、このインターホン親機に、別の２線式信号線を介して、１または複数のモニタテレビ付き副親機を接続した構成のテレビインターホンシステムであって、
上記ドアホン子器と上記インターホン親機の間では、映像ベースバンド信号と、変調された音声信号とが多重化伝送され、
上記インターホン親機と上記副親機の間では、変調された映像信号と、音声ベースバンド信号とが多重化伝送され、
上記インターホン親機は、映像ベースバンド信号を変調する映像変調部を備え、上記ドアホン子器から映像ベースバンド信号が送出されてきたときには、この映像ベースバンド信号を上記映像変調部によって変調し、上記副親機に送出することによって、副親機のモニタテレビに、上記ドアホン子器のカメラによって撮像された映像を映し出すことを特徴とするテレビインターホンシステム。
【請求項２】
請求項１に記載のテレビインターホンシステムにおいて、
上記インターホン親機は、上記ドアホン子器から送出されて来る変調された音声信号を復調し、音声ベースバンド信号にする音声復調部と、上記副親機から送出されて来る音声ベースバンド信号を変調する音声変調部とを備えて、
上記ドアホン子器と上記副親機の通話を可能にしたことを特徴とするテレビインターホンシステム。
【発明の詳細な説明】
【０００１】
【発明の属する技術分野】
本発明はテレビインターホンシステム、更に詳しくは、ドアホン子器を接続したインターホン親機に、更に副親機を接続した構成のテレビインターホンシステムの改良に関する。
【０００２】
【従来の技術】
集合住宅などに導入されているテレビインターホンシステムには、室内に設置されたモニタテレビ付きインターホン親機と、玄関先に設置されたカメラ付ドアホン子器とを、最も簡易な構成として２線式信号線で接続したものがある。
このシステムでは、ドアホン子器の呼出ボタンを操作したときには、インターホン親機はチャイムを鳴動させ、２線式信号線に対して電源を供給し、ドアホン子器のカメラを駆動して、カメラで撮影した映像をインターホン親機のモニタテレビに映し出すとともに、互いのスピーカ、マイクを使用した通話を可能にする（通話機能）。
【０００３】
また、インターホン親機のモニタボタンを操作したときには、インターホン親機からドアホン子器に電源を供給し、カメラと同時にマイクを駆動して、ドアホン子器のカメラで撮像した映像をインターホン親機のモニタテレビに映し出すとともに、ドアホン子器のマイクによって集音した周囲の音を、インターホン親機のスピーカより聞き出すことが出来る（映像・音モニタ機能）。
【０００４】
図５は、このようなシステムにおけるドアホン子器とインターホン親機間の信号スペクトラムを示した図である。
子器と親機の間では、映像信号または音声信号のいずれか一方をＦＭ変調、他方をベースバンド信号のままとし、これらを多重化して２線式信号線を通じて伝送するが、映像信号をベースバンド信号ｘ１で、音声信号（通話信号）をＦＭ変調して多重化伝送するときには、子器から親機への音声信号でキャリアｆ１（例えば、５．５ＭＨｚ）を変調、親機から子器への音声信号でキャリアｆ２（例えば、６．５ＭＨｚ）を変調し、いわゆるＦＭ搬送波周波数を異ならせることによって、子器と親機間の双方向の同時通話を可能としている。
【０００５】
ところで現在は、インターホン親機に、更にモニタテレビ付き副親機を接続したシステムが提供されており、この副親機では、親機との内線通話以外に、子器との通話及び子機側のモニタができるようになっている。
【０００６】
【発明が解決しようとする課題】
ところが、上記インターホン親機に副親機を接続した構成のテレビインターホンシステムでは、次のような問題があった。インターホン親機から副親機、ドアホン子器から親機を介して副親機に、映像信号をベースバンド信号で送信するとすれば、副親機を複数接続した場合などでは、親機からの配線距離が長くなり、終端に近づくにつれて、伝送ロスが大きくなり、終端に近い副親機に鮮明な映像が映し出されにくくなる。そのため、システムの拡張が制限されるという問題があった。
【０００７】
これとともに、親機と副親機による内線通話も可能にしようとすれば、制御信号の送受が必要となり、また、コストの抑制を目的として音声信号もベースバンド信号で伝送するため、親機と副親機の間を４線式、更に、電源を供給するため６線式の信号線で接続する必要があった。
一方、映像信号をＦＭ変調し、音声信号をベースバンド信号で伝送するとすれば、子器側に映像用のＦＭ変調回路を設けねばならず、親機に対し複数の子器を接続する場合は特に、各子器に変調回路を備える必要があるので、コストアップの原因になっていた。
【０００８】
本発明はこのような事情に鑑みてなされたものであり、簡単な構成で、インターホン親機に接続された副親機においても、ドアホン子器側のモニタ及びドアホン子器との通話ができるテレビインターホンシステムを提供することを目的としている。
【０００９】
【課題を解決するための手段】
上記目的を達成するため、本発明に係るテレビインターホンシステムは、以下の手段を備える。
請求項１では、ドアホン子器とインターホン親機の間では、映像ベースバンド信号と、変調された音声信号とが多重化伝送され、インターホン親機と副親機の間では、変調された映像信号と、音声ベースバンド信号とが多重化伝送される構成とする。
【００１０】
これによって、ドアホン子器に映像用の変調回路を設ける必要がないため、コストが低減できる。また、親機から副親機には、映像信号を変調して伝送するので、伝送ロスを抑えることができ、システムの拡張が図れる。更に、制御信号も変調して多重化伝送すれば、２線式信号線によって内線通話が行える。
また請求項１では、インターホン親機は、映像ベースバンド信号を変調する映像変調部を備え、ドアホン子器から映像ベースバンド信号が送出されてきたときには、この映像ベースバンド信号を映像変調部によって変調し、副親機に送出することによって、副親機のモニタテレビに、ドアホン子器のカメラによって撮像された映像を映し出す。
【００１１】
請求項２では、インターホン親機は、ドアホン子器から送出されて来る変調された音声信号を復調し、音声ベースバンド信号にする音声復調部と、副親機から送出されて来る音声ベースバンド信号を変調する音声変調部とを備えて、ドアホン子器と副親機の通話を可能にする。
【００１２】
【発明の実施の形態】
以下に、本発明の実施の形態を図面とともに説明する。
図１は、本発明に係るテレビインターホンシステムの概略を示した構成図である。
図示するように、このテレビインターホンシステムは、室内に設置されたモニタテレビ付インターホン親機Ａと、玄関先に設置されたカメラ付ドアホン子器Ｂとを、２線式信号線を通じて接続し、更にこのインターホン親機Ａに、別の２線式信号線を通じて、モニタテレビ付き副親機Ｃを接続している。
【００１３】
ここでは、インターホン親機Ａに対して、２台のドアホン子器Ｂを、それぞれ電気錠解錠ボタンＥなどを介して、スター配線で接続するとともに、３台のモニタテレビ付き副親機Ｃと４台のモニタテレビなし副親機Ｄとを混在させ、バス配線で接続している場合を示している。
また、モニタテレビなし副親機Ｄの３台目以降（＃３，＃４）はローカルで電源供給するようにしており（矢印ア）、更に、このシステムでは、各副親機Ｃ，Ｄを２線式信号線の特性インピーダンスより高い入力インピーダンスとし、終端抵抗を上記特性インピーダンスと等しくして、同軸ケーブルを使用しない構成で、安価かつ容易な配線を実現している。
【００１４】
このような構成において、ドアホン子器Ｂとインターホン親機Ａの間では、映像ベースバンド信号と、ＦＭ変調された音声信号とが多重化伝送され、インターホン親機Ａと副親機Ｃ，Ｄの間では、ＦＭ変調された映像信号と、音声ベースバンド信号とが多重化伝送される。なお、ここでは、変調方式はＦＭ変調としているが、本発明はこれには限定されることはない。
【００１５】
インターホン親機Ａでは、ドアホン子器Ｂから送出されて来る映像ベースバンド信号をＦＭ信号に変調し、副親機Ｃ側に送出して、副親機ＣのモニタテレビＴＶに、ドアホン子器Ｂのカメラによって撮像された映像を映し出す。
また、ドアホン子器Ｂから送出されて来るＦＭ変調された音声信号を復調し、音声ベースバンド信号として副親機Ｃ，Ｄに送出し、副親機Ｃ，Ｄから送出されて来る音声ベースバンド信号をＦＭ信号に変調してドアホン子器Ｂに送出することによって、ドアホン子器Ｂと副親機Ｃ，Ｄとの間での通話を可能にする。
【００１６】
親機Ａと副親機Ｃ，Ｄの間では、映像信号をＦＭ変調して伝送するので、両者の配線距離が長くなったとしても、終端に近い副親機Ｃにおいて映像の劣化が生じない。一方、親機Ａと子器Ｂとの間は、距離が比較的短いので、ベースバンド伝送としても映像の劣化は殆ど考慮しなくてよい。
このように、このインターホンシステムでは、親機Ａと子器Ｂとを接続した２線式信号線には、音声信号と映像信号と、スピーカ、マイク、カメラを駆動するための直流電源とを重畳させた信号を伝送している。つまり、通話モード時は、親機Ａから子器Ｂへは、通話のための電源とカメラ電源が供給され、親機Ａと子器Ｂとは、異なるキャリアを変調した２つの音声信号を送受し、子器Ｂから親機Ａには映像信号を送出する。
【００１７】
また、親機Ａと副親機Ｃ，Ｄとを接続した２線式信号線には、音声信号と映像信号と、モニタテレビなし副親機Ｄ（＃１，＃２）を駆動させるための直流電源とを重畳させた信号を伝送している。
次に、このテレビインターホンシステムの基本動作について説明する。
待機時には、親機Ａと子器Ｂ間の２線式信号線には、音声信号がなく、待機時の電圧レベル（６Ｖ）に親機側と子器側のキャリアが重畳されており、子器Ｂでは、通電表示灯（不図示）が点灯している。このとき、親機Ａから子器Ｂには駆動電源が供給されないため、子器Ｂ側のスピーカはオフ状態になっている。
【００１８】
この状態で、子器Ｂの呼出ボタンｂが操作されると、待機時の電圧レベルが急激に低下するので、親機Ａがこれを検出し、チャイムを鳴動させるとともに、子器Ｂ側に電源を供給する。これによって、子器Ｂのカメラで撮影した映像を親機ＡのモニタテレビＴＶに映し出し、チャイムの鳴動に対して通話ボタンｂ３を操作して応答すれば、双方での通話ができる。
【００１９】
このとき、副親機ＣのモニタテレビＴＶにも、子器Ｂ側の映像が映し出されており、また、副親機Ｃ，Ｄにおいて通話ボタンｂ３を操作すれば、子器Ｂとの通話が出来る。
更に、親機Ａと各副親機Ｃ，Ｄには、内線呼ボタンｂ１を備えており、これを操作すれば、ＦＳＫ変調された制御信号を送出して、一斉呼出を行い、親機Ａあるいは副親機Ｃ，Ｄのいずれかと通話することが出来る。
【００２０】
続いて、モニタ時の動作について説明すると、待機状態であるときに、親機Ａのモニタボタンｂ２を操作すると、電源の供給を開始し、子器Ｂのマイクとカメラを駆動して、映像信号と音声信号とが子器Ｂから親機Ａに送出される。
また、副親機Ｃのモニタボタンｂ２を操作したときには、制御信号を親機Ａに送出し、親機Ａから子器Ｂに電源を供給して、子器Ｂから映像信号と音声信号を親機Ａを介して副親機Ｃに送出する。
【００２１】
次に、モニタテレビ付きインターホン親機Ａの構成について、図２のブロック図とともに説明する。
ちなみに、モニタテレビ付き副親機Ｃの構成は、この図から副親機Ｃ，Ｄを接続するための多重化回路２０、映像ＦＭ変調回路２１、制御信号回路２２、音声信号回路２３を除いたものであり、モニタテレビなしの副親機Ｄの構成は、更に、モニタテレビＴＶに映像を映し出すためのテレビ電源回路９、テレビ回路１０、明るさ切替スイッチｓｗ１、モニタボタンｂ２を除いたものになる。
【００２２】
このインターホン親機Ａの各部は、制御用マイコン１によって制御されており、ドアホン子器Ｂとは、多重化回路２を通じて映像信号と音声信号とを多重化した信号が送受され、副親機Ｃ，Ｄとは、多重化回路２０を通じて多重化信号が送受される。
なお、この親機Ａには各種スイッチ類を備えており、これらのそれぞれの機能を説明すると、明るさ切替スイッチｓｗ１によりモニタテレビＴＶの明度を切り替え、内線呼ボタンｂ１によって副親機Ｃ，Ｄを一斉に呼び出し、モニタボタンｂ２によって子器Ｂ側の映像・音モニタを開始し、内線／通話ランプＬ１によって通話中であることを示し、通話ボタンｂ３によって通話を開始し、呼出音量切替スイッチｓｗ２によってチャイム音の音量を切り替える。
【００２３】
以下には、通話モード時の動作について説明する。
待機時に、子器Ｂの呼出ボタンｂが操作されると、呼出検知回路４が電圧レベルの低下を検出し、マイコン１はチャイム音出力回路１３を作動させてスピーカＳＰからチャイムを鳴動させるとともに、子器給電回路３から多重化回路２を通じて子器Ｂ側に電源を供給する。これによって、子器Ｂのカメラで撮影した映像が送出されて来るので、このベースバンド信号である映像信号を映像信号増幅回路５によって増幅し、テレビ電源回路９から電源が供給されているテレビ回路１０によって、モニタテレビＴＶにその映像を映し出す。
【００２４】
これに応答して、通話ボタンｂ３を操作すれば、ハンズフリー通話回路８を作動して、マイクＭＩを通じて入力された音声を、マイクアンプ回路ａ２によって増幅し、音声ＦＭ変調回路６によって親機Ａ側のキャリアをＦＭ変調して、子器Ｂ側に送出する。
また、子器Ｂから、子器Ｂ側のキャリアをＦＭ変調した音声信号を受けると、音声ＦＭ復調回路７によって復調し、スピーカアンプ回路ａ１によって増幅してスピーカＳＰから音声を出力する。
【００２５】
ここに、図中、１１はスイッチング電源回路、１２はマイコン用の電源回路１２である。
次に、副親機Ｃ，Ｄ側で応答する場合を説明すると、子器Ｂからの呼出を検出すると、制御信号回路２２を通じて呼出があったことを示す信号を送出し、副親機Ｃ，Ｄ側でチャイムを鳴動させる。そして、子器Ｂから映像ベースバンド信号が送出されて来ると、映像ＦＭ変調回路２１（映像変調部）によってＦＭ信号に変調して、副親機Ｃ，Ｄ側に送出して、モニタテレビＴＶを備えている副親機Ｃにおいてのみ映像を映し出す。
【００２６】
チャイムの鳴動に応答して、副親機Ｃ，Ｄの通話ボタンｂ３が操作され、制御信号が送出されて来ると、子器Ｂから送出されて来るＦＭ変調された音声信号は、音声ＦＭ復調回路７（音声復調部）によって復調された後、音声信号回路２３によって音声ベースバンド信号として副親機Ｃ，Ｄに送出される一方、副親機Ｃ，Ｄから送出されて来る音声ベースバンド信号は、音声信号回路２３によって受けた後、音声ＦＭ変調回路６（音声変調部）によってＦＭ信号に変調され、子器Ｂ側に送出される。これによって、ドアホン子器Ｂと副親機Ｃ，Ｄ間において通話ができる。
【００２７】
このように、本発明では、ドアホン子器Ｂと副親機Ｃ，Ｄとの間で信号が送受されるときでも、ドアホン子器Ｂとインターホン親機Ａ間の２線式信号線では、映像ベースバンド信号と、ＦＭ変調された音声信号とが多重化伝送され、インターホン親機Ａと副親機Ｃ，Ｄ間の２線式信号線では、ＦＭ変調された映像信号と、音声ベースバンド信号とが多重化伝送される。
【００２８】
次に、ドアホン子器Ｂの構成を図３に示す。
ドアホン子器Ｂからインターホン親機Ａには、多重化回路３０を通じて、カメラ４０（ＣＣＤ型撮像素子）によって撮影された映像のベースバンド信号と、マイクＭＩｂで集音されＦＭ変調された音声信号とが多重化されて送受され、更に、親機Ａ側からの音声信号が多重化されて送られてきたときには、多重化回路３０によってこの音声信号を分離した後、復調してスピーカＳＰｂから出力する。
【００２９】
待機時に、呼出ボタンｂを操作すると、動作切換回路３３がインピーダンス変換回路３１によって電圧レベルを低下させる。すると、親機Ａの子器給電回路３から電源が供給されるので、赤外線ＬＥＤ３２によって訪問者に対する照度を確保するとともに、カメラ４０によって撮影した映像を、映像信号処理回路４１を介し、ＬＰＦ出力アンプ４２によって所定帯域のベースバンド信号として送出する。なお、映像信号処理回路４１は、ＡＧＣ（自動利得制御）によって出力レベルを調整しており、感度検出回路４３により撮影感度が検出されることによって、タイミング信号発生回路４４がタイミング信号（クロック）の発生を変化させている。
【００３０】
また、子器Ｂ側からの音は、マイクＭＩｂから入力され、マイクアンプ回路ａ１２によって増幅された後、変調回路３４によって子器Ｂ側のキャリアをＦＭ変調して、ＦＭ信号出力回路３５から親機Ａ側に送出される。
一方、親機Ａ側のキャリアをＦＭ変調した音声信号を受けると、ＦＭ信号アンプ回路３６によって増幅し、復調回路３７によって復調した後、スピーカアンプ回路ａ１１によって増幅されてスピーカＳＰｂから出力される。なお、モニタモードにおいては、ミュート回路３８によって親機Ａ側からの音声がスピーカＳＰｂから出力されないようにしている。
【００３１】
次に、インターホン親機Ａの別の構成について、図４のブロック図とともに説明する。
このインターホン親機Ａ’は、副親機Ｃ，Ｄは接続しないが、増設スピーカ（不図示）を接続し、この増設スピーカからドアホン子器Ｂからの呼出音（チャイム音）を鳴動させる構成になっている。
【００３２】
そのため、図２のインターホン親機Ａの構成のうち、多重化回路２０、映像ＦＭ変調回路２１、制御信号回路２２、音声信号回路２３、内線呼ボタンｂ１を備えず、内線／通話ランプＬ１の代わりに通話ランプＬ２を備え、チャイム音出力回路１３は増設スピーカアンプ回路ａ３に接続された構成になっている。
待機時に、子器Ｂの呼出ボタンｂが操作されると、呼出検知回路４が電圧レベルの低下を検出し、マイコン１がチャイム音出力回路１３を作動させ、増設スピーカからチャイムを鳴動させる。その後、子器給電回路３から多重化回路２を通じて子器Ｂ側に電源を供給すると、子器Ｂのカメラ４０で撮影した映像が送出されて来るので、そのベースバンド信号である映像信号を映像信号増幅回路５によって増幅し、テレビ回路１０によってモニタテレビＴＶに映像を映し出す。
【００３３】
そして、通話ボタンｂ３を操作すれば、ハンズフリー通話回路８が作動して、マイクＭＩを通じて入力された音声を、音声ＦＭ変調回路６により親機Ａ’側のキャリアをＦＭ変調して、子器Ｂ側に送出するとともに、子器Ｂから子器Ｂ側のキャリアをＦＭ変調した音声信号を受けると、音声ＦＭ復調回路７によって復調し、スピーカＳＰから出力することによって、双方の通話を実現する。
【００３４】
このように、副親機Ｃ，Ｄを接続しないタイプのインターホン親機Ａ’であっても、音声信号をＦＭ変調信号、映像信号をベースバンド信号として伝送とするタイプの子器Ｂを接続し、子器Ｂの構造、設定を変えることなく使用することが出来る。
【００３５】
【発明の効果】
以上の説明からも理解されるように、本発明の請求項１又は２に記載のテレビインターホンシステムによれば、ドアホン子器とインターホン親機の間では、映像ベースバンド信号と、変調された音声信号とを多重化伝送するので、ドアホン子器に映像用の変調回路を設ける必要がなく、コストの上昇を抑えることが出来る。他方、インターホン親機と副親機の間では、変調された映像信号と、音声ベースバンド信号とを多重化伝送するので、複数の副親機を接続し、親機から終端までの距離が長くなった場合でも、映像信号の劣化を抑えることができ、配線の延長、映像分岐などのシステムの拡張が図れる。
【００３６】
また、ドアホン子器とインターホン親機、インターホン親機と副親機のそれぞれを、２線式信号線で接続した構成とでき、インターホン親機によって、映像ベースバンド信号を変調するとともに、変調された音声信号を復調して音声ベースバンド信号にし、逆に音声ベースバンド信号を変調することによって、内線通話に加え、従来のように、副親機での子器側のモニタ及び子器との通話を可能とする。
【図面の簡単な説明】
【図１】本発明に係るテレビインターホンシステムの一例を示した構成図である。
【図２】モニタテレビ付きインターホン親機の構成の一例を示したブロック図である。
【図３】カメラ付きドアホン子器の構成の一例を示したブロック図である。
【図４】モニタテレビ付きインターホン親機の構成の別の例を示したブロック図である。
【図５】テレビインターホンシステムにおける周波数スペクトラムを示す図である。
【符号の説明】
Ａ・・・モニタテレビ付きインターホン親機
１・・・制御用マイコン
２・・・多重化回路
５・・・映像信号増幅回路
６・・・音声ＦＭ変調回路
７・・・音声ＦＭ復調回路
８・・・ハンズフリー通話回路
１０・・・テレビ回路
２０・・・多重化回路
２１・・・映像ＦＭ変調回路
２２・・・制御信号回路
２３・・・音声信号回路
ｂ１・・・内線呼ボタン
ｂ２・・・モニタボタン
ｂ３・・・通話ボタン
ＴＶ・・・モニタテレビ
Ｂ・・・カメラ付きドアホン子器
３０・・・多重化回路
３４・・・変調回路
３７・・・復調回路
４０・・・カメラ（ＣＣＤ）
ｂ・・・呼出ボタン
Ｃ・・・モニタテレビ付き副親機
Ｄ・・・モニタテレビなし副親機
【図１】
0003584648.tif 000002
【図２】
0003584648.tif 000003
【図３】
0003584648.tif 000004
【図４】
0003584648.tif 000005
【図５】
0003584648.tif 000006